(57)【要約】【課題】１台の通信端末装置を異なる利用者識別子で用いた場合における電子メールの特定が可能となる電子メールシステム及び通信端末装置を提供する。【解決手段】通信端末装置１が電子メールをメールボックス１９に記憶する際に、メールサーバ装置が電子メールを記憶する際に付加する利用者識別子とは異なる識別子を付加し、上記２つの識別子の対応を外部記憶媒体１７に記憶する。【選択図】  図２
2004236073.tif 000002
【特許請求の範囲】
【請求項１】
少なくとも１つの通信端末装置と少なくとも１つのメールサーバ装置とが通信回線を介して接続され、前記通信端末装置から特定の加入者宛て電子メールの処理要求があると、前記特定加入者宛て電子メールの処理を行う電子メールシステムにおいて、
前記メールサーバ装置は、
前記電子メールを、前記電子メールを識別するメール識別情報と、前記電子メール宛先である加入者を識別する加入者識別情報と共に記憶するサーバメールボックスと、
前記通信端末装置からメール処理を要求するメールアクセス要求を受信した時に、前記通信端末装置から受信する、前記加入者識別情報を持つ電子メールを前記サーバメールボックスから検索し、検索された前記電子メールの前記メール識別情報と、その電子メールの内容である電子メール情報を読み出し、送信するメール制御手段とを有し、
前記通信端末装置は、
前記電子メールの送信又は受信を行う送受信手段と、
着脱可能な記憶媒体に前記加入者識別情報と対応して記憶される前記記憶媒体を識別する記憶媒体識別情報と、前記メール識別情報とを、前記電子メールに対応付けて記憶するメールボックスと、
前記記憶媒体が取り付けられた状態で、前記記憶媒体の前記加入者識別情報によって前記メールサーバ装置に対して前記メール処理を要求する処理手段と
を有することを特徴とする電子メールシステム。
【請求項２】
前記メール識別情報は前記電子メールの標題及び管理番号であり、前記電子メール情報は前記電子メールの本文であることを特徴とする請求項１に記載の電子メールシステム。
【請求項３】
前記メールアクセス要求は、前記メールボックスに記憶される対象メールの前記記憶媒体識別情報に対応する前記加入者識別情報と前記対象メールの前記メール識別情報を引数とする要求であることを特徴とする請求項１に記載の電子メールシステム。
【請求項４】
前記メール制御手段は、前記サーバメールボックスから前記加入者識別情報と前記メール識別情報を持つ前記電子メールを検索し、その検索された電子メールの内容である前記電子メール情報を読み出して前記通信端末装置に送信することを特徴とする請求項３に記載の電子メールシステム。
【請求項５】
前記処理手段は、前記メールサーバ装置から受信した前記電子メール情報を前記メールボックスに格納することを特徴とする請求項４に記載の電子メールシステム。
【請求項６】
前記メールボックスに記憶される前記電子メール毎に前記電子メール情報の読み出しに失敗したことを示す失敗ステータスが記憶されることを特徴とする請求項５に記載の電子メールシステム。
【請求項７】
前記処理手段は、前記メールボックスに前記失敗ステータスが記憶されるものがあれば、それを対象メールとして前記要求を優先的に行うことを特徴とする請求項６に記載の電子メールシステム。
【請求項８】
前記メールアクセス要求は、前記メールボックスに記憶される対象メールの前記記憶媒体識別情報に対応する前記加入者識別情報と前記対象メールの前記メール識別情報と入力手段から入力される転送先の電子メールアドレスを引数とする要求であることを特徴とする請求項１に記載の電子メールシステム。
【請求項９】
前記メール制御手段は、前記サーバメールボックスから前記加入者識別情報と前記メール識別情報を持つ前記電子メールを検索し、その検索された電子メールの内容である前記電子メール情報を読み出して前記転送先の電子メールアドレスあてに送信することを特徴とする請求項８に記載の電子メールシステム。
【請求項１０】
メールサーバ装置と通信回線を介して接続され、前記メールサーバ装置に記憶される特定の加入者宛て電子メールの処理要求を行う通信端末装置において、
前記電子メールを識別するメール識別情報と前記電子メールの内容である電子メール情報とを前記メールサーバ装置との間で送信又は受信を行う送受信手段と、記憶媒体を識別する記憶媒体識別情報と前記メール識別情報に基づいて送信又は受信した前記電子メールを記憶するメールボックスと、
前記記憶媒体識別情報と加入者を識別する加入者識別情報が対応して記憶される着脱可能な記憶媒体が取り付けられた状態で、前記メール識別情報と前記加入者識別情報によって前記メールサーバ装置に対して前記メール処理を要求する制御手段と
を有することを特徴とする通信端末装置。
【請求項１１】
前記メール識別情報は前記電子メールの標題及び管理番号であり、前記電子メール情報は前記電子メールの本文であることを特徴とする請求項１０に記載の通信端末装置。
【請求項１２】
前記制御手段は、前記メールボックスに記憶される対象メールの前記記憶媒体識別情報に対応する前記加入者識別情報と前記対象メールの前記メール識別情報を引数とする前記要求を前記メールサーバ装置へ送信し、前記メールサーバ装置から受信した前記電子メール情報を前記メールボックスに格納することを特徴とする請求項１０に記載の通信端末装置。
【請求項１３】
前記メールボックスに記憶される前記電子メール毎に前記電子メール情報の読み出しに失敗したことを示す失敗ステータスが記憶されることを特徴とする請求項１２に記載の通信端末装置。
【請求項１４】
前記制御手段は、前記メールボックスに前記失敗ステータスが記憶された電子メールがあれば、それを対象メールとして前記要求を優先的に行うことを特徴とする請求項１３に記載の通信端末装置。
【請求項１５】
前記制御手段は、前記メールボックスに記憶される対象メールの前記記憶媒体識別情報に対応する前記加入者識別情報と前記対象メールの前記メール識別情報と入力手段から入力される転送先の電子メールアドレスを引数とする前記要求を前記メールサーバ装置へ送信することを特徴とする請求項１０に記載の通信端末装置。
【請求項１６】
前記メールボックスに記憶された電子メールの中から処理対象の候補となる電子メールを選択し、
その選択された電子メールの前記記憶媒体識別情報に対応する前記加入者識別情報が前記記憶媒体から得ることができない場合に、その旨を示す情報を表示する出力手段を有する
ことを特徴とする請求項１０に記載の通信端末装置。
【請求項１７】
前記メールボックスに記憶された電子メールのそれぞれについて、前記記憶媒体識別情報に対応する前記加入者識別情報が前記記憶媒体から得られるか否かを判断し、
それが得られる前記電子メールを出力する出力手段
を有することを特徴とする請求項１０に記載の通信端末装置。
【発明の詳細な説明】
【０００１】
【発明の属する技術分野】
本発明は、電子メールシステム及び通信端末装置に係り、特に１台の通信端末装置を複数の利用者識別子によって用いる際の電子メール処理に関する。
【０００２】
【従来の技術】
通信端末装置の電子メール処理では、電子メールは、通信端末装置と電子メール装置の間の回線を介して送受信されるが、その回線の通信速度は常に高速であるとは限らない。また、受信した電子メールを記憶する通信端末装置に内蔵するメモリの容量には、常に充分な余裕があるとは限らない。
【０００３】
更に、携帯電話などの移動通信端末装置の電子メール処理では、電子メールは、移動通信端末装置と基地局との間の無線回線を介して送受信される。しかし、移動通信端末装置が基地局からの電波が届き難い場所にある場合には、その無線回線の伝送品質は必ずしも高くない。
【０００４】
そこで、移動通信端末装置が行う電子メールの送受信処理にいろいろな工夫がなされている。その一つに、例えば、ＩＭＡＰ４（Ｉｎｔｅｒｎｅｔ  Ｍｅｓｓａｇｅ  Ａｃｃｅｓｓ  Ｐｒｏｔｏｃｏｌ  Ｖｅｒｓｉｏｎ  ４）プロトコルを用いて、移動通信端末装置が無線回線を介して送受信する情報量を可能な限り少なくすることが知られている。
【０００５】
即ち、固定のネットワーク網にメールサーバ装置を接続し、移動通信端末装置あての電子メールに、その移動通信端末装置を識別する情報を付加して、メールサーバ装置に記憶する。そして、送信先の移動通信端末装置がその電子メールを受信する際に、まず、その電子メールの標題（タイトル）のみの受信をメールサーバ装置に対して要求する。次に、受信した標題によってその電子メールの本文を受信するか否かを判断し、本文を受信すると判断された場合にのみ、その電子メールの本文の受信をメールサーバ装置に対して要求する。
【０００６】
更に、移動通信端末装置が受信した電子メールを転送する際には、移動通信端末装置からそのメールの本文を送信先のメール送受信装置に送信するのではなく、上記メールサーバ装置からそのメールの本文を送信先のメール送受信装置に送信させる処理が知られている（例えば、特許文献１参照。）。
【０００７】
移動通信端末装置の識別のために、その利用者識別子を、利用者の操作によって変更ができない手段を用いて移動通信端末装置に書き込んでいる。そして、メールサーバ装置は、その利用者識別子を用いて、その移動通信端末装置についてのあらゆる識別及び認証を行っている。
【０００８】
即ち、メールサーバ装置は、移動通信端末装置の電子メールアドレスや、その移動通信端末装置あての電子メールなどに、上記の利用者識別子を付加して記憶及び管理している。また、移動通信端末装置は、上記メールサーバ装置に対する要求に、上記の利用者識別子を付加して行っている。
【０００９】
【特許文献１】
特開２００１−１９５３２３号公報（第２−３頁、図１）
【００１０】
【発明が解決しようとする課題】
しかしながら、取り外し可能な外部記憶媒体に利用者識別子（ＩＭＳＩ、Ｉｎｔｅｒｎａｔｉｏｎａｌ  Ｍｏｂｉｌｅ  Ｓｕｂｓｃｒｉｂｅｒ  Ｉｄｅｎｔｉｔｙ）を記憶させ、その媒体を利用者が移動通信端末装置に取り付けることにより、移動通信端末装置の利用者識別子を利用者が設定する方式も用いられている。
【００１１】
その場合には、１台の移動通信端末装置に利用者毎に異なる外部記憶媒体を取り付けることにより、１台の移動通信端末装置をあたかも複数台の移動通信端末装置であるかのように扱うことが出来る。これによって、１台の移動通信端末装置で異なった電子メールアドレスあての電子メールを受信することが可能となる。
【００１２】
そこで、取り外し可能な外部記憶媒体に利用者識別子を記憶させた場合には、１台の移動通信端末装置あての電子メールであっても、メールサーバ装置は、その電子メールを受信した時の受信メールアドレスに対応した異なる利用者識別子を付加して、内部メモリに記憶する可能性がある。
【００１３】
一方、メールサーバ装置からの電子メールがその移動通信端末装置の内部メモリに記憶される際には、その電子メールの受信メールアドレスに対応する利用者識別子を付加して記憶することは許されない。なぜなら、利用者識別子は、利用者の秘密保持のため、その利用者識別子を記憶した外部記憶媒体が移動通信端末装置に取り付けられている間を除いて、その移動通信端末装置に複写して記憶することが許されないからである。
【００１４】
そこで、上記した電子メールシステムにおいては、移動通信端末装置からメールサーバ装置にメール処理を要求する際に、対象となる電子メールの特定のために付加された利用者識別子が得られず、電子メールの特定が完全にはできない欠点があった。
【００１５】
本発明は、上記欠点を解決するためになされたもので、１台の通信端末装置に異なる利用者識別子が設定された場合に、電子メールの特定が可能となる電子メールシステム及び通信端末装置を提供することを目的とする。
【００１６】
【課題を解決するための手段】
上記目的を達成するために、本発明の電子メールシステムは、少なくとも１つの通信端末装置と少なくとも１つのメールサーバ装置とが通信回線を介して接続され、前記通信端末装置から特定の加入者宛て電子メールの処理要求があると、前記特定加入者宛て電子メールの処理を行う電子メールシステムにおいて、前記メールサーバ装置は、前記電子メールを、前記電子メールを識別するメール識別情報と、前記電子メール宛先である加入者を識別する加入者識別情報と共に記憶するサーバメールボックスと、前記通信端末装置からメール処理を要求するメールアクセス要求を受信した時に、前記通信端末装置から受信する、前記加入者識別情報を持つ電子メールを前記サーバメールボックスから検索し、検索された前記電子メールの前記メール識別情報と、その電子メールの内容である電子メール情報を読み出し、送信するメール制御手段とを有し、前記通信端末装置は、前記電子メールの送信又は受信を行う送受信手段と、着脱可能な記憶媒体に前記加入者識別情報と対応して記憶される前記記憶媒体を識別する記憶媒体識別情報と、前記メール識別情報とを、前記電子メールに対応付けて記憶するメールボックスと、前記記憶媒体が取り付けられた状態で、前記記憶媒体の前記加入者識別情報によって前記メールサーバ装置に対して前記メール処理を要求する処理手段とを有することを特徴とする。
【００１７】
本発明によれば、通信端末装置が電子メールを記憶する際に、メールサーバ装置が電子メールを記憶する際に付加する利用者識別子とは異なる識別子を付加して記憶し、更に、上記２つの識別子の対応を記憶することによって、１台の通信端末装置を異なる利用者識別子で用いた場合における電子メールの特定が可能となる。
【００１８】
【発明の実施の形態】
以下に、本発明による電子メールシステムの実施の形態を、図面を参照して説明する。図１は、本発明の実施形態に係る電子メールシステムの構成を示すブロック図である。
【００１９】
この電子メールシステムは、電子メールの送受信操作を行う移動通信システムにおいて利用される移動通信端末装置１と、移動通信システムに設けられ、この移動通信端末装置１宛ての電子メールを記憶し、記憶された電子メールに対する処理を行うメールサーバ装置２と、移動通信端末装置１とメールサーバ装置２とを接続する無線通信網３とならなる。
【００２０】
上記メールサーバ装置２は、メール送受信装置４とインターネット５を介して接続されている。
【００２１】
図２は、移動通信端末装置１の構成を示すブロック図である。この移動通信端末装置１は、装置全体の制御を行う制御部１１と、アンテナ１２ａと、通信部１２ｂと、送受信部１３と、スピーカ１４ａと、マイクロフォン１４ｂと、通話部１４ｃと、利用者からの操作指示を入力する入力部１５と、利用者へ情報の提示を行う出力部１６と、識別子が記憶される取り外し可能な外部記憶媒体１７（例えば、Ｓｕｂｓｃｒｉｂｅｒ  Ｉｄｅｎｔｉｆｙ  Ｍｏｄｕｌｅ（ＳＩＭ）カードやＵｓｅｒ  Ｉｄｉｎｆｉｔｙ  Ｍｏｄｕｌｅ（ＵＩＭ）カードなど）と、電子メールの処理を行うメール処理部１８とからなる。ただし、外部記憶媒体１７はＳＩＭカードやＵＩＭカードに限定されない。
【００２２】
ここで、メール処理部１８は、メール送信部１８ａと、メールサーバ装置２に対し記憶された電子メールの操作を要求する受信メール操作部１８ｂと、メールサーバ装置２から受信した電子メールが記憶されるメールボックス１９とからなる。
【００２３】
図３は、メールサーバ装置２の構成を示すブロック図である。このメールサーバ装置２は、装置全体の制御を行う制御部２１と、第１の通信部２２と、第２の通信部２３と、利用者データベース２４と、メール処理部２５と、インターネットメール受信部２７とから構成される。ここで、メール処理部２５は、メール送出部２５ａと、メール転送部２５ｂと、メールボックス２６とからなる。
【００２４】
上記のように構成された、本発明の実施形態に係る電子メールシステムの動作を説明する。
【００２５】
まず、移動通信端末装置１の動作を説明する。通信部１２ｂは、アンテナ１２ａを介して受信した高周波信号を送受信部１３に送信する。また、送受信部１３から出力される高周波信号をアンテナ１２ａへ送信する。
【００２６】
次に、送受信部１３の動作を説明する。送受信部１３は、通信部１２ｂからの高周波信号を増幅、周波数変換及び復調し、それによって得たデジタル音声信号を通話部１４ｃへ送信し、また、制御信号を制御部１１へ送信する。更には、通話部１４ｃから出力されるデジタル音声信号、及び制御部１１から出力される制御信号を変調、周波数変換及び増幅し、高周波信号を得て、それを通信部１２ｂへ送信する。
【００２７】
次に、通話部１４ｃの動作を説明する。通話部１４ｃは、送受信部１３から出力されるデジタル音声信号をアナログ音声信号に変換し、それを増幅してスピーカ１４ａに送る。また、マイクロフォン１４ｂが出力するアナログ音声信号を増幅し、それをデジタル音声信号に変換して送受信部１３へ送信する。
【００２８】
次に、入力部１５の動作を説明する。入力部１５は、複数のキースイッチからなり、制御部１１からの起動信号により、利用者が操作したキースイッチを識別するコード信号を制御部１１へ通知する。
【００２９】
次に、出力部１６の動作を説明する。出力部１６は、例えばＬＣＤの表示部であり、制御部１１より起動されることにより、表示動作を開始する。入力部１５からの入力信号に応答して、制御部１１より新しい画面が起動されるまで、同じ表示動作を続ける。
【００３０】
次に、外部記憶媒体１７に記憶される識別子を、図４を参照して説明する。識別子は、利用者識別子３１ａと、外部記憶媒体識別子３１ｂとからなる。利用者識別子３１ａは、移動通信事業者が発番し、外部記憶媒体１７に記憶される識別子である。
【００３１】
ここで、利用者識別子３１ａの値は、利用者に関係する課金を含む、移動通信端末装置１が属する移動通信システムにおけるあらゆる情報管理のキーとなるため、利用者識別子３１ａの値には漏洩防止策が施される。その一環として、その利用者識別子３１ａの値は、外部記憶媒体１７に記憶されるだけであって、移動通信端末装置１の電源が切断された場合にはその内部に記憶されない。また、外部記憶媒体１７を取り替える時には、移動通信端末装置１の電源を必ず切断する。
【００３２】
この利用者識別子３１ａは、例えば、外部記憶媒体１７がＳＩＭカードであれば、Ｉｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）に該当するが、これに限定されるものではない。
【００３３】
また、外部記憶媒体識別子３１ｂは、外部記憶媒体１７の製造者が発番し、外部記憶媒体１７に記憶される識別子である。利用者識別子３１ａ及び外部記憶媒体識別子３１ｂは、いずれも他の外部記憶媒体に同じ値が記憶されることはない。そこで、利用者識別子３１ａ及び外部記憶媒体識別子３１ｂは一対一に対応している。この外部記憶媒体識別子３１ｂは、例えば、外部記憶媒体１７がＳＩＭカードである場合は、Ｉｎｔｅｇｒａｔｅｄ  Ｃｉｒｃｕｉｔ（ｓ）  ＣａｒｄＩｄｅｎｔｉｆｉｃａｔｉｏｎ（ＩＣＣＩＤ）に該当するが、これに限定されるものではない。
【００３４】
次に、メール処理部１８のメール送信部１８ａの動作を説明する。メール送信部１８ａは、利用者が入力部１５の所定のキースイッチ（図示せず）を操作することにより、制御部１１によって起動され、動作を開始する。
【００３５】
メール送信部１８ａは、続いて、利用者によって入力部１５からキー入力される電子メールの宛先メールアドレスと、本文データに基づいて電子メール（送信メール）を作成する。そして、作成された送信メールは制御部１１経由で送受信部１３へ送られ、更に、通信部１２ｂ、アンテナ１２ａ、無線通信網３を介してメールサーバ装置２へ送信される。
【００３６】
ここで、上記宛先メールアドレスは、移動通信端末装置１内のアドレス帳（図示せず）に記憶された電子メールアドレスから選択することも可能である。また、電子メールに、添付ファイルを添付して送信することも可能である。
【００３７】
次に、メール処理部１８の受信メール操作部１８ｂの動作を説明する。受信メール操作部１８ｂは、利用者によるキー入力操作の指示に基づいて、メールサーバ装置２から受信し、メールボックス１９に記憶した所定数の電子メール（受信メール）の中から、転送処理などの操作を行なう電子メールが選択された時に、その選択された電子メールの操作のための要求をメールサーバ装置２に送信する動作を行う装置である。
【００３８】
図５は、この受信メール操作部１８ｂの動作のフローチャートを示す。受信メール操作部１８ｂは、利用者が入力部１５の所定のキースイッチを操作することにより、制御部１１が起動されて動作を開始する（ステップ４１ａ）。続いて、制御部１１はメールボックス１９に記憶された電子メールを出力部１６に表示する（ステップ４１ｂ）。
【００３９】
ここで、メールボックス１９に記憶される電子メール（受信メール）の構成を、図６を参照して説明する。メールボックス１９に記憶される電子メールは、外部記憶媒体識別子１９ａと、一連番号１９ｂと、標題１９ｃと、本文１９ｄと、読出失敗フラッグ１９ｅから構成される。
【００４０】
ここで、外部記憶媒体識別子１９ａには、メールサーバ装置２から電子メールを受信した時に、外部記憶媒体１７に記憶されている外部記憶媒体識別子３１ｂが記憶される。また、一連番号１９ｂには、同じ外部記憶媒体識別子１９ａの値を持つ複数の電子メールのそれぞれを一意に識別するための番号が記憶される。
【００４１】
また、標題１９ｃには、電子メールの標題が記憶される。また、本文１９ｄには、電子メールの本文が記憶される。また、読出失敗フラッグ１９ｅには、「対象メールの本文読出」の要求に対して、本文の読み出しができなかった電子メールについて、そのステータスを表す「失敗」が記憶される。
【００４２】
上記ステップ４１ｂでは、メールボックス１９に電子メールが記憶されている場合には、そこから読み出された電子メールが、例えば図６に示す表形式で出力部１６に表示される。その際、複数の電子メールの中の１件を操作の対象のメールとして識別可能なようにするために、例えば、色を変えて表示する。
【００４３】
なお、出力部１６の表示画面が小さく、一部の受信メールのみを表示可能な場合には、入力部１５の上下矢印キー（図示せず）の操作に基づいて表示をスクロールして、全ての電子メールを順次表示させることができる。
【００４４】
受信メール操作部１８ｂは、続いて、利用者による入力部１５からの選択操作に基づいて、出力部１６に表示された電子メールの中から操作の対象とする電子メール（以下、操作対象メールと称する。）を選択する（ステップ４１ｃ）。その選択された操作対象メールは、識別可能なように色を変えて表示されている。
【００４５】
続いて、利用者からのメール操作指示が入力部１５から入力される（ステップ４１ｄ）。続いて、受信メール操作部１８ｂは、その入力された利用者のメール操作指示を判断し（ステップ４１ｅ）、３つの処理に分岐する。
【００４６】
即ち、利用者のメール操作指示が「未読メールの標題読出」である場合、受信メール操作部１８ｂの制御により移動通信端末装置１からメールサーバ装置２に対して、外部記憶媒体１７に記憶された「利用者識別子３１ａ」を引数として、「未読メールの標題読出」を要求する。
【００４７】
これに応答して、メールサーバ装置２はメールボックス２６を検索して、利用者識別子３１ａの値が同一のメールであって、未読フラッグの内容からまだ標題を要求があった移動通信端末１に対して送信していない電子メールを読み出して、その電子メールの「一連番号」及び「標題」を移動通信端末装置１に送信する。
【００４８】
移動通信端末装置１の受信メール操作部１８ｂは、その受信した「一連番号」をメールボックス１９の一連番号１９ｂに、また、「標題」を標題１９ｃに格納する。
【００４９】
その際、メールボックス１９の外部記憶媒体識別子１９ａには、外部記憶媒体１７に記憶された外部記憶媒体識別子３１ｂが同時に格納される。また、この時点では、メールボックス１９の本文１９ｄ、及び読出失敗フラッグ１９ｅには、何も格納されない（ステップ４１ｆ）。
【００５０】
その後、受信メール操作部１８ｂは、ステップ４１ｂに戻り、再びメールボックス１９に記憶された電子メールの表示ルーチンを実行する。
【００５１】
上記ステップ４１ｅで、利用者のメール操作指示が「対象メールの本文読出」か、または「対象メールの転送」のいずれかであれば、受信メール操作部１８ｂは、対象メールに対するそれらの指示が適切であるか否かを判断する（ステップ４１ｇ）。
【００５２】
即ち、対象メールの外部記憶媒体識別子１９ａの内容が外部記憶媒体１７に記憶された外部記憶媒体識別子３１ｂと同一であれば、上記メール操作指示が適切であると判断して、受信メール操作部１８ｂは、上記利用者の指示に従った動作を選択、実行する（ステップ４１ｈ）。
【００５３】
ステップ４１ｈで、上記利用者の指示が「対象メールの本文読出」要求と判断されれば、受信メール操作部１８ｂの制御により移動通信端末装置１からメールサーバ装置２に対して、外部記憶媒体１７に記憶された「利用者識別子３１ａ」及び対象メールの「一連番号１９ｂの値」を引数として、「対象メールの本文読出」を要求する。
【００５４】
これに応答して、メールサーバ装置２はメールボックス２６を検索して、利用者識別子３１ａ及び一連番号１９ｂの値が同一である対象メールの「本文」を読み出して、移動通信端末装置１に送信する。
【００５５】
尚、外部記憶媒体識別子１９ａと一連番号１９ｂとが一致し、本文１９ｄにメールの「本文」が記憶されていて、読み出し失敗フラッグ１９ｅに「失敗」のステータスが記憶されていない対象メールの読み出しが要求された場合は、既に、メールサーバ装置２から対象メールが読み出されていると判断し、「対象メールの本文読出」は行わない。
【００５６】
移動通信端末装置１の受信メール操作部１８ｂは、その受信した「本文」をメールボックス１９の対象メールの本文１９ｄに格納する。この時、もし、その対象メールの読出失敗フラッグ１９ｅに「失敗」のステータスが記憶されていれば、「本文」が格納できたことにより、そのステータスを消去または、「失敗」のステータスを、例えば、対象メールが読み出せたことを示すステータスを示す「成功」に書きかえる（ステップ４１ｉ）。
【００５７】
その後、受信メール操作部１８ｂは、ステップ４１ｂに戻り、再びメールボックス１９に記憶された電子メールの表示ルーチンを実行する。
【００５８】
なお、ステップ４１ｉで、移動通信端末装置１とメールサーバ装置２との間の通信に何らかの障害が生じて、「対象メールの本文読出」の処理が完了できない場合には、受信メール操作部１８ｂは、上記対象メールの読出失敗フラッグ１９ｅに「失敗」のステータスを記憶する。
【００５９】
また、ステップ４１ｉにおいて、上記利用者の指示が「対象メールの本文読出」であり、その時に、読出失敗フラッグ１９ｅに「失敗」のステータスが記録され、更に、外部記憶媒体識別子１９ａに外部記憶媒体１７に記憶された外部記憶媒体識別子３１ｂと同一の内容がそれぞれメールボックス１９に記憶されている電子メールが有れば、受信メール操作部１８ｂは、その電子メールを対象メールとして先に指定し、その「対象メールの本文読出」要求をメールサーバ装置２に対して行う。これにより、前回に完了しなかった「対象メールの本文読出」を優先して実行することが出来る。
【００６０】
次に、上記ステップ４１ｈで、上記利用者の指示が「対象メールの転送」であれば、受信メール操作部１８ｂは、利用者によって入力部１５から入力される転送先の電子メールアドレスを受信する（ステップ４１ｊ）。そして、受信メール操作部１８ｂの制御により移動通信端末装置１からメールサーバ装置２に対して、外部記憶媒体１７に記憶された「利用者識別子３１ａ」、対象メールの「一連番号１９ｂの値」及び対象メールの「転送先の電子メールアドレス」を引数に、「対象メールの転送」を要求する（ステップ４１ｋ）。
【００６１】
その後、受信メール操作部１８ｂは、ステップ４１ｂに戻り、メールボックス１９に記憶された受信メールの表示ルーチンを実行する。
【００６２】
また、上記ステップ４１ｇで、対象メールに対する外部記憶媒体識別子１９ａの内容が外部記憶媒体１７に記憶された外部記憶媒体識別子３１ｂの内容と異なっていれば、受信メール操作部１８ｂは対象メールに対する利用者識別子３１ａを確認することができない。したがって、受信メール操作部１８ｂは、上記利用者の指示の実行は不可能と判断して、「実行不可能」であることを出力部１６に表示して、ステップ４１ｃのステップへ戻る。また、上記ステップ４１ｅで、もし、上記利用者の指示が「終了」であれば、受信メール操作部１８ｂは、この動作を終了する（ステップ４１ｍ）。
【００６３】
上記説明したように、この実施形態によれば、電子メールの読み出しを「未読メールの標題読出」と「対象メールの本文読出」に分けて要求することにより、メールサーバ装置２のメールボックス２６から全ての電子メールの標題を読み出して、その電子メールの本文の読み出しが必要とする場合にのみ、その本文を読み出すことが可能となる。したがって、読み出し不要な本文をメールサーバ装置２から移動通信端末装置１へ送信する通信量を削減することができる。
【００６４】
また、「対象メールの転送」操作において、この実施形態によれば、たとえ、対象メールの本文が自装置のメールボックス１９の本文１９ｄに記憶されていたとしても、その本文を移動通信端末装置１から転送先の装置に送信しない。つまり、メールサーバ装置２のメールボックス２６に格納されている本文をメールサーバ装置２から転送先の装置に送信させることにより、移動通信端末装置１から無線通信網３を介して送る通信量を削減することができる。
【００６５】
次に、メールサーバ装置２の動作を、図３を参照して説明する。まず、第１の通信部２２の動作を説明する。通信部２２は、無線通信網３からの信号を制御部２１へ送信し、また、制御部２１からの信号を無線通信網３へ送信する。
【００６６】
次に、第２の通信部２３の動作を説明する。第２の通信部２３は、インターネット５からの信号を制御部２１へ送信し、また、制御部２１からの信号をインターネット５へ送信する。
【００６７】
次に、利用者データベース２４に格納されるデータを、図７を参照して説明する。利用者データベース２４に格納されるデータは、利用者識別子２４ａと、電子メールアドレス２４ｂと、課金額２４ｃとから構成される。
【００６８】
この利用者データベース２４に格納されるデータは、移動通信端末装置１の利用者と移動通信事業者との間でアクセス契約が締結の際に、移動通信事業者によって管理されるメール送受信装置４に上記のデータが設定登録される。また、利用者識別子２４ａと等しい利用者識別子３１ａが記憶された外部記憶媒体１７が作成され、上記移動通信事業者から上記利用者へ渡される。
【００６９】
ここで、利用者識別子２４ａが課金管理を含む、移動通信端末装置１が属する移動通信システムにおける利用者情報管理のキーとなるため、この利用者識別子２４ａには十分な漏洩防止策が施される。また、その漏洩防止策の一環として、この利用者識別子２４ａは、メールサーバ装置２の利用者データベース２４とメールボックス２６、及び外部記憶媒体１７のみに記録される。
【００７０】
次に、メールサーバ装置２のメール処理部２５の動作を、メール送出部２５ａから説明する。メール送出部２５ａは、移動通信端末装置１からの要求に従って、メールボックス２６に記憶された電子メールを移動通信端末装置１へ送信する時に動作する装置である。
【００７１】
ここで、メールボックス２６に記憶された受信メールを、図８を参照して説明する。メールボックス２６は、利用者識別子２６ａと、一連番号２６ｂと、標題２６ｃと、本文２６ｄと、未読フラッグ２６ｅによって構成される。
【００７２】
メールボックス２６には、メール送受信装置４からインターネット５を経由して、利用者データベース２４の電子メールアドレス２４ｂが示すアドレス先に送られてきた電子メールが格納される。この処理は、メールサーバ装置２のインターネットメール受信部２７が行う。
【００７３】
その際、インターネットメール受信部２７は、メール送受信装置４から送信される電子メールの宛先メールアドレスと等しい電子メールアドレス２４ｂを持つデータを利用者データベース２４から検索する。そして、その検索されたデータから、電子メールアドレス２４ｂに対応する利用者識別子２４ａを取得して、メールボックス２６の当該電子メールの利用者識別子２６ａに格納する。
【００７４】
更に、インターネットメール受信部２７は、メールボックス２６の一連番号２６ｂに、同じ利用者識別子２６ａを持つ複数の電子メール（受信メール）の中から上記メールを一意に識別するための一連番号を格納する。また、インターネットメール受信部２７は、標題２６ｃに上記電子メールの標題を格納し、本文２６ｄに上記電子メールの本文を格納し、未読フラッグ２６ｅに「未読」ステータスをそれぞれ格納する。
【００７５】
ここで、移動通信端末装置１から「利用者識別子３１ａ」を引数として、移動通信端末装置１宛ての、未読である電子メールのタイトル（標題）を確認するために「未読メールの標題読出」の要求を受けると、メールサーバ装置２のメール送出部２５ａは、その利用者識別子３１ａと同じ利用者識別子２６ａを持ち、かつ、未読フラッグ２６ｅに「未読」ステータスを持つ電子メールをメールボックス２６から検索する。そして、メール送出部２５の制御によりメールサーバ装置２は検索された電子メールの「一連番号２６ｂ」及び「標題２６ｃ」を、要求があった移動通信端末装置１に送信する。
【００７６】
この動作は、上述した図５のステップ４１ｆの動作に対応する。また、メール送出部２５は検索された電子メールの未読フラッグ２６ｅの「未読」ステータスを消去または、「失敗」のステータスを、例えば、対象メールが読み出せたことを示すステータスを示す「成功」に書きかえる。
【００７７】
また、移動通信端末装置１から「利用者識別子」及び「メールの一連番号」を引数として「対象メールの本文読出」の要求を受けると、メールサーバ装置２のメール送出部２５ａは、その利用者識別子と同じ利用者識別子２６ａを持ち、かつ、メールの一連番号と同じ一連番号２６ｂを持つ電子メールをメールボックス２６から検索する。そして、メール送出部２５の制御によりメールサーバ装置２は検索したメールの「本文２６ｄ」を移動通信端末装置１に送信する。この動作は、上述した図５のステップ４１ｉの動作に対応する。
【００７８】
そして、メール送出部２５ａは、以上説明した電子メールの送信終了後、それぞれの動作に対する課金額を所定の数式によって算出する。また、上記引数として受信した上記利用者識別子と同じ利用者識別子２４ａをもつデータを利用者データベース２４から検索し、検索された上記データの課金額２４ｃの値に、上記算出された課金額を加算する。
【００７９】
次に、メール処理部２５のメール転送部２５ｂの動作を説明する。メール転送部２５ｂは、移動通信端末装置１からの要求に従って、メールボックス２６に記憶された電子メールを指定された宛先に転送処理をするために、メール送受信装置４に送信する処理を行う。
【００８０】
移動通信端末装置１から「利用者識別子」、「メールの一連番号」及び転送先を識別する情報である「電子メールアドレス」を引数として「対象メールの転送」の要求を受けると、メール転送部２５ｂは引数の利用者識別子と同じ利用者識別子２６ａを持ち、かつ、引数のメールの一連番号と同じ一連番号２６ｂを持つ電子メールをメールボックス２６から検索する。
【００８１】
そして、メール転送部２５ｂは検索した電子メールの標題２６ｃと、本文２６ｄを引数の電子メールアドレスあてに送信する。この動作は、上述した図５のステップ４１ｋの動作に対応する。
【００８２】
そして、メール転送部２５ｂは、以上説明した電子メールの転送終了後、その動作に対する課金額を所定の数式によって算出する。また、上記引数の利用者識別子と同じ利用者識別子２４ａをもつデータを利用者データベース２４から検索し、検索された上記データの課金額２４ｃの値に、上記算出された課金額を加算する。
【００８３】
本実施形態においては、移動通信端末装置１がメールサーバ装置２に対して行う要求は、「未読メールの標題読出」、「対象メールの本文読出」及び「対象メールの転送」の３種類としたが、これらの要求の他に、「対象メールの削除」などがあり、受信メール操作部１８ｂは、この要求をメールサーバ装置２に送る前にステップ４１ｇで説明した、対象メールがこの要求の対象として適切であるか否かの判断をしても良い。
【００８４】
また、移動通信端末装置１は、メールサーバ装置２に対して要求を送るのに伴って送る引数の中で、外部記憶媒体１７に記憶された利用者識別子３１ａを、移動通信端末装置１とメールサーバ装置２の間でメール処理のセッションを開始する時点で１回送り、それぞれの要求に伴って利用者識別子３１ａを送らなくとも良い。
【００８５】
更に、受信メール操作部１８ｂは、対象メールの転送が、ステップ４１ｇの識別子のチェックによって不可能で、かつ、対象メールの本文がメールボックス１９の本文１９ｄに記憶されている場合には、その記憶されている本文を用いて対象メールを移動通信端末装置１から送信させても良い。
【００８６】
また、ステップ４１ｂで、メールボックス１９に記憶された全ての電子メールを出力部１６に表示した上で、ステップ４１ｇで、対象メールがメールサーバ装置２に送る要求の対象として適切であるか否かを判断したが、メールサーバ装置２に送る要求の対象として適切である電子メールのみをステップ４１ｂで出力部１６に表示し、ステップ４１ｇの判断を削除しても良い。本発明は以上の構成に限定されるものではなく、種々の変形が可能である。
【００８７】
【発明の効果】
以上述べたように、本発明によれば、通信端末装置に電子メールを記憶する際に、メールサーバ装置が電子メールを記憶する際に付加する利用者識別子とは異なる識別子を付加して記憶し、更に、上記２つの識別子の対応を記憶することによって、１台の通信端末装置を異なる利用者識別子で用いた場合に電子メールの特定ができる。
【図面の簡単な説明】
【図１】本発明の実施形態に係る電子メールシステムを示すブロック図。
【図２】本発明の実施形態に係る移動通信端末装置の構成を示すブロック図。
【図３】本発明の実施形態に係るメールサーバ装置の構成を示すブロック図。
【図４】本発明の実施形態に係る移動通信端末装置が記憶する識別子を示す図。
【図５】本発明の実施形態に係る移動通信端末装置の受信メール処理部のフローチャート。
【図６】本発明の実施形態に係る移動通信端末装置のメールボックス。
【図７】本発明の実施形態に係るメールサーバ装置の利用者データベース。
【図８】本発明の実施形態に係るメールサーバ装置のメールボックス。
【符号の説明】
１  移動通信端末装置
２  メールサーバ装置
４  メール送受信装置
１７  外部記憶媒体
１８  メール処理部
１８ｂ  受信メール操作部
１９  メールボックス
２５  メール処理部
２５ａ  メール送出部
２５ｂ  メール転送部
２６  メールボックス
２７  インターネットメール受信部
３１ａ  利用者識別子
３１ｂ  外部記憶媒体識別子
【図１】
2004236073.tif 000003
【図２】
2004236073.tif 000004
【図３】
2004236073.tif 000005
【図４】
2004236073.tif 000006
【図５】
2004236073.tif 000007
【図６】
2004236073.tif 000008
【図７】
2004236073.tif 000009
【図８】
2004236073.tif 000010